(57)【要約】【課題】  機種のことなるパチスロ台等の遊技機であっても取り付けることができ、また、遊技機そのものに電気部品や電気回路を新たに付加することなくドア開閉検出ユニットを取り付けられるようにした。【解決手段】  パチンコ台やパチスロ台などの遊技機に取り付けられるドア開閉検出ユニットを、開閉ドアを有する遊技機に固定するセットベースと、このセットベースに摺動可能に取り付けられたユニットベースと、セットベースとユニットベースとを固定する固定手段と、ユニットベースに取り付けられ上記遊技機のドアの開閉を機械的に検知するセンサードッグと、上記遊技機以外の部分に設けられた電気的なスイッチ装置をセンサードッグの検知動作によって動作させる手段と、を有して構成し、ドア開閉検出ユニットを取り付ける時、位置決めを簡単確実にするため磁石を利用し、また、台そのものに電気的な部品や装置を含まないようにした。 【選択図】図１１
2005087484.tif 000002
【特許請求の範囲】
【請求項１】
開閉ドアを有する遊技機に固定するセットベースと、このセットベースに摺動可能に取り付けられたユニットベースと、セットベースとユニットベースとを固定する固定手段と、ユニットベースに取り付けられ上記遊技機のドアの開閉を機械的に検知するセンサードッグと、上記遊技機以外の部分に設けられた電気的なスイッチ装置をセンサードッグの検知動作によって動作させる手段と、を備えたことを特徴とするドア開閉検出ユニット。
【請求項２】
前記セットベースとユニットベースとの間に位置し、両者を摺動可能に保持するための磁石を有することを特徴とする請求項１に記載のドア開閉検出ユニット。
【請求項３】
前記磁石はゴム磁石であることを特徴とする請求項２に記載のドア開閉検出ユニット。
【発明の詳細な説明】
【技術分野】
【０００１】
この発明は、主として遊技場やパチンコホールのパチスロ台やパチンコ台等の遊技機（以下、単にパチスロ台という。）のドア（表面扉）の開閉を検出するドア開閉検出ユニットに関する。
【背景技術】
【０００２】
従来、遊技場やパチンコホールなどにおけるパチスロ台のドアの開閉は、不正な行為を阻止するため、どの台のドアを開けた（あるいは閉めた）などといった開閉の履歴データを保存したい、という要求があった。
【０００３】
しかし、一軒のパチンコホールでも、パチスロ台は通常同一機種のみではなく、新旧の複数の機種が混在して設置されており、また、ドアの開閉検出スイッチを設けていない機種がほとんどであって、すべての台の開閉を一元的に管理することが困難であった。
【０００４】
さらに、パチスロ台の場合、台の内部にマイクロスイッチなどの電気部品を追加設置したり、新たに電気配線を施すことは、台の改造とみなされ、営業に供することができなくなる虞がある。
【０００５】
また、仮にこのような改造が許可されるとしても、改造によって新たに追加される部品や配線が、台側に電気的影響を与えないことを証明する書類の提出が必要となるため、パチンコホールを経営する立場からは、台に対して電気配線を必要としない改造が求められることが多い。
【０００６】
さらに、従来のパチスロ台にドア開閉検出ユニットを追加設置する場合は、種類の異なる台ごとに設置位置が異なるため、設置作業が繁雑で作業が長時間となり、さらに機種ごとに専用の工具や部品などが必要であって、その管理が極めて煩雑であった。
【０００７】
【特許文献１】特開２００２−１０２５１６号公報
【発明の開示】
【発明が解決しようとする課題】
【０００８】
この発明は、かかる現状に鑑み創案されたものであって、その目的とするところは、遊技場やパチンコホールなどにおいて、機種が異なる複数のパチスロ台にドア開閉検出ユニットを追加設置する場合、それぞれに専用の金具や部品、工具を必要とせず、どの機種にでも簡単かつ確実に設置できると共に、既に設置されている（使用されている）機種に、電気的な部品や回路を新たに付加することなくドア開閉検出を可能にするユニットを提供しようとするものである。
【課題を解決するための手段】
【０００９】
上記目的を達成するため、請求項１に記載の発明にあっては、開閉ドアを有する遊技機に固定するセットベースと、このセットベースにユニットベースを摺動可能に取り付け、ドアの開閉を検出するセンサードッグをこのユニットベースに取り付け、ユニットベースを適宜摺動させることにより、異なる機種の遊技機であってもドアとセンサードッグとの位置決めを容易にしたことを特徴とする。
【００１０】
請求項２に記載の発明にあっては、前記ユニットベースをセットベースに対して摺動させる場合に、摺動操作は容易であって、かつ、位置決めが確定した状態を保持できるようにユニットベースとセットベースとの間に磁石設けたことを特徴とする。
【００１１】
請求項３に記載の発明にあっては、前記ユニットベースがセットベースに対してスムーズに摺動可能となるよう、ゴム磁石を用いたことを特徴とする。
【発明の効果】
【００１２】
請求項１に記載の発明にあっては、開閉ドアを有する遊技機に固定するセットベースと、このセットベースに摺動可能に取り付けられたユニットベースと、セットベースとユニットベースとを固定する固定手段と、ユニットベースに取り付けられ上記遊技機のドアの開閉を機械的に検知するセンサードッグと、上記遊技機以外の部分に設けられた電気的なスイッチ装置をセンサードッグの検知動作によって動作させる手段と、を備えて構成したので、遊技場やパチンコホールなどにおいて、機種が異なる複数の遊技機に開閉検出ユニットを設置する場合、それぞれの専用の金具や部品、工具などを必要とせず、どの機種でも熟練を要さず、短時間に簡単かつ確実に開閉検出ユニットを設置することができる。
【００１３】
また、遊技機そのものには電気的な装置や部品を追加することなくドアの開閉を検出できるため、改造による新たな許可申請や証明書類の作成を必要とすることなく開閉検出ユニットを設置することができる。
【００１４】
請求項２に記載の発明にあっては、前記ユニットベースをセットベースに対して摺動させる場合に、摺動操作は容易であって、かつ、位置決めが確定した状態を保持できるようにユニットベースとセットベースとの間に磁石設けて構成したので、機種が異なる複数の遊技機であっても、ドアと開閉検出ユニットとの位置決めが極めて容易かつ確実に開閉検出ユニットを設置することができる。
【００１５】
請求項３に記載の発明にあっては、請求項２に記載の開閉検出ユニットにおいて、ユニットベースがセットベースに対してスムーズに摺動可能となるよう、ゴム磁石を用いたので、極めてスムーズにドアと開閉検出ユニットとの位置決めを行うことができる。
【発明を実施するための最良の形態】
【００１６】
以下、添付図面に示す発明の実施例に基づき、この発明を詳細に説明する。
【実施例１】
【００１７】
図１は、ユニットベース１の正面図、図２は図１の右側面図、図３は図１のユニットベース１からセンサードッグ２を取り除いて、時計方向に９０度回転させた状態を示す図、図４は図３の下側面図である。
【００１８】
ユニットベース１には、図示するように、センサードッグ２がドッグピン３によって回動自在に取り付けられており、このセンサードッグ２はユニットベース１に設けられたストッパー４と、ユニットベース１の右側面部１ａに当接する範囲内、すなわち図において実線と点線で描いた範囲内（円弧矢印の範囲内）で回動可能になっている。
【００１９】
図１左上に示すように、センサードッグ２の一端には、後述するセンサーワイヤーを固定するための切欠部２ａが、また、センサードッグ２の切欠部２アールとは反対側には検出部２ｂが設けられている。
【００２０】
図５は、ユニットベース１がセットベース５に取り付けられた状態を示す正面図であり、セットベース５は、その上下部分のみが表示され、その中央部はユニットベース１によって隠れている。
【００２１】
ユニットベース１の中央部には横長の摺動孔１ｃが設けられており、ビス５ａによってユニットベース１がセットベース５に摺動可能に取り付けられている。
【００２２】
ユニットベース１の左側には紙面の手前方向に伸びる立ち上げ部１ｂがあり、ここに後述するセンサーワイヤーが移動するガイド部を確保するためのワイヤークランプ６が、ビス６ｂによって取り付けられている。
【００２３】
図６は図５の右側面を示す図で、各部品の取り付け状態を説明するため、一部を分解した説明図である。
【００２４】
図６に示すように、ユニットベース１の上部および下部には折り曲げられた側壁部１ｄが設けてあり、一方、セットベース５には立ち上げ部５ｂが側壁部１ｄと当接するよう設けられており、ユニットベース１をセットベース５に対してほぼ平行に摺動させるためのガイドとなっている。
【００２５】
ユニットベース１とセットベース５との間には、二つのラバーマグネット７（ゴム磁石）が取り付けられている。
【００２６】
図７は、図６に分解して示した各部品の組立を完了した状態を示す組立完成図である。図８は、図７の左側面を示した図である。
【００２７】
図９ａ、図９ｂは、ユニットベース１とセットベース５の間に固定されるラバーマグネット７（ゴム磁石）の形状を示した図であり、それぞれラバーマグネット７の平面図と、その側面図である。
【００２８】
この実施例１に係る開閉検出ユニットは、以上のように組み立てられているため、ユニットベース１はセットベース５に保持されながら、セットベース５に対して摺動孔１ｃの範囲で前後（台のドア方向）に摺動させることができ、しかもラバーマグネット７の磁力の働きにより、力を加えない限り常にセットベース５とユニットベース１との位置関係を保持することができる。
【００２９】
図１０は、図８を上面から見た図であり、ユニットベース１の立ち上げ部１ｂにワイヤークランプ６が、ビス６ｂによって固定されている。
【００３０】
ユニットベース１の立ち上げ部１ｂに当接するワイヤークランプ６の一端（図１０の左下部）は、円筒を縦に二分割したように曲げられたガイド部６ａが設けられており、ここに後述する図示しないセンサーワイヤーが固定される。
【００３１】
このように構成されたドア開閉検出ユニットの設置方法およびその動作を、以下に説明する。
【００３２】
図１１はパチスロ台の前面のガラス扉を開いた状態を示し、図の右側が台の外側、図の左側が台の内側を示している。
【００３３】
まず、予め扉の外枠の厚みを計り、パチスロ台の内部側壁に、扉を閉めた時に扉の内面が来る位置に印を付ける。
【００３４】
次に、ユニットベース１をセットベース５に対して、図１１の矢印８と逆方向（台の内側）一杯にスライドさせ、次の条件を満たすようセットベース５を台の内部側壁に固定する。すなわち、ユニットベース１のセンサードッグ２の検出面２ｂが、上記の印より僅かに内側になる位置に設定する。これにより、扉を閉めたときにセンサードッグ２が邪魔にならず、扉が確実に閉めることができる。また、ユニットベース１のセンサードッグ２の検出面２ｂが、上記の印より前方向になるようにスライドさせセットする。
【００３５】
この状態で扉を静かに閉めると、扉の内面がセンサードッグ２の検出面２ｂを台の内側に押すため、ユニットベース１がセットベース５に対して、台の内側に摺動する。
【００３６】
そして、再び扉を開くと、ユニットベース１が以前より台の内側に移動しているが、ラバーマグネット７の磁力により、その状態は保持される。
【００３７】
この状態でビス５ａを締め付け、ユニットベース１をセットベース５に対して固く固定する。
【００３８】
ここで図示しないセンサーワイヤーの一端をワイヤークランプ６のガイド部６ａを通過させてセンサードッグ２の切欠部２ａに固定する。
【００３９】
次に、再び扉を閉めると、センサードッグ２の検出面２ｂは扉に押された状態となり、センサードッグ２の切欠部２ａは一番上側に位置することとなる。
【００４０】
センサーワイヤーの他端を、扉の開閉を検出する図示しないセンサー装置に接続し、センサードッグ２の切欠部２ａを引っ張るようにセンサーワイヤーの長さを調整する。
【００４１】
このセンサー装置は台の内部ではなく、台とは物理的に離れた場所に設置されており、電気的な部品や回路は台の内部に追加設置されることはない。
【００４２】
センサーワイヤーの長さを調整した後に扉が開けられた場合は、センサードッグ２がセンサーワイヤーによって引っ張られるため、センサードッグ２は図１に実線で示す位置まで（反時計方向に）回動する。
【００４３】
この動作により、図示しないセンサー装置の内部にあるマイクロスイッチなどがＯＮ（あるいはＯＦＦ）され、扉が開けられたことが電気的に検出される。
【００４４】
なお、扉の開閉を検出するセンサー装置や、センサーワイヤーなどは、通常一般的に使用されているものでよく、要するに扉の開閉によってセンサーワイヤーが動作し、この動作によって適宜スイッチが動作するものであればよい。
【産業上の利用可能性】
【００４５】
この発明にかかるドア開閉検出ユニットは、機種が異なる複数の遊技機のドアを開閉する場合に、それぞれの専用の金具や工具を必要とせず、どの機種にも簡単に設置できるよう、また、取付けの位置決めが簡単にできるよう構成されているため、遊技場やパチンコホールなどにおいて、ドアの開閉を検出できるように遊技機に取り付ける場合、熟練を要することなく、短時間で確実に施工することができる。
【００４６】
また、この発明にあっては、既に設置されている機種に、電気的な部品や回路を新たに付加することなくドア開閉検出ができるため、新たに遊技機の許可申請をしたり、遊技機側に電気的な影響を与えないことを証明する書類の提出などが必要なく使用できる。
【図面の簡単な説明】
【００４７】
【図１】この発明に係るドア開閉検出ユニットの実施例におけるユニットベース１の正面図である。
【図２】図１の右側面図である。
【図３】図１のユニットベース１からセンサードッグ２を取り除いて、時計方向に９０度回転させた状態を示す図である。
【図４】図３の下側面図である。
【図５】ユニットベース１が、セットベース５に取り付けられた状態を示す正面図である。
【図６】図５の右側面を示す図で、各部品の取り付け状態を説明するため、一部を分解した説明図である。
【図７】図６に分解して示した各部品の組立を完了した状態を示す組立完成図である。
【図８】図７の左側面を示した図である。
【図９】ユニットベース１とセットベース５の間に固定されるラバーマグネット（ゴム磁石）の形状を示した図であり、（ａ）はラバーマグネットの平面図と、（ｂ）はその側面図である。
【図１０】図８を紙面手前側に９０度回転させ、上面から見た図である。
【図１１】パチスロ台の前面のガラス扉を開いた状態を示した図である。
【符号の説明】
【００４８】
１  ユニットベース
１ａ  右側面部
１ｂ  立ち上げ部
１ｃ  摺動孔
１ｄ  側壁部
２  センサードッグ
２ａ  切欠部
２ｂ  検出面
３  ドッグピン
４  ストッパー
５  セットベース
５ａ  ビス
５ｂ  立ち上げ部
６  ワイヤークランプ
６ａ  ガイド部
６ｂ  ビス
７  ラバーマグネット
８  矢印
【図１】
2005087484.tif 000003
【図２】
2005087484.tif 000004
【図３】
2005087484.tif 000005
【図４】
2005087484.tif 000006
【図５】
2005087484.tif 000007
【図６】
2005087484.tif 000008
【図７】
2005087484.tif 000009
【図８】
2005087484.tif 000010
【図９】
2005087484.tif 000011
【図１０】
2005087484.tif 000012
【図１１】
2005087484.tif 000013